(57)【要約】  【目的】  タンパク質分子のような生体分子を損傷することなくイオン化する。  【構成】  帯電液滴生成室31内において，エレクトロスプレー（ナノエレクトロスプレーを含む）32により，試料を混合したミクロンないしはサブミクロンオーダの水／メタノール混合巨大クラスタ−（酢酸またはアンモニアなどを添加）イオン（沸点直前またはドライアイス−アセトン温度付近）等を生成し，これを真空加速室41内において10KV程度の高電圧電場により加速して，ターゲット（基板）43に衝突させ，生体高分子をイオン化する。  【選択図】  図１
2006329710.tif 000002
【特許請求の範囲】
【請求項１】
揮発性の液体に試料を混合しておき，
エレクトロスプレーにより，大気圧下で，試料が混合した帯電液滴を生成し，
生成した帯電液滴を真空室内に導き，
真空室内に電場を形成し，電場によって帯電液滴を加速して，ターゲットに衝突させ，
これによって試料を脱離，イオン化する，
衝突誘起によるイオン化方法。
【請求項２】
試料が混合した帯電液滴を，その気化を促進または抑制するように加熱または冷却した状態で生成する，請求項１に記載のイオン化方法。
【請求項３】
試料が混合した帯電液滴をアシストガスにより噴霧する，請求項１または２に記載のイオン化方法。
【請求項４】
質量分析装置のイオン導入口の外側に設けられ，上記イオン導入口を通して質量分析装置の内部と連通し，内部に加速電極とターゲットが配置された真空加速室を有する加速装置，および
上記真空加速室の液滴導入口を通して上記真空加速室と連通する帯電液滴生成室を備え，この液滴生成室内において，試料が混合された揮発性の液体の帯電液滴を，エレクトロスプレーにより大気中で生成する帯電液滴生成装置を備え，
上記帯電液滴生成装置によって生成された試料が混合された帯電液滴が上記帯電液滴生成室から上記液滴導入口を通して上記真空加速室に導かれ，高電圧が印加された上記加速電極によって加速されて上記ターゲットに衝突し，これによって脱離，イオン化された試料のイオンが上記イオン導入口を通して質量分析装置に導入されるようになされている，
衝突誘起によるイオン化装置。
【請求項５】
上記帯電液滴生成装置は，試料が混合された帯電液滴を，その気化を促進または抑制するように加熱または冷却した状態で生成するものである，請求項４に記載のイオン化装置。
【請求項６】
上記帯電液滴生成装置は，試料が混合した帯電液滴をアシストガスにより噴霧するものである，請求項４または５に記載のイオン化装置。
【発明の詳細な説明】
【技術分野】
【０００１】
この発明は，衝突誘起によるイオン化方法および装置に関し，特にタンパク質分子やＤＮＡ分子などの生体高分子の質量分析のために好適なイオン化方法および装置に関する。
【背景技術】
【０００２】
質量分析のためには，質量分析装置に気体状のイオン化された試料分子イオンを供給しなければならない。イオン化された分子または原子はきわめて短時間のうちに反対極性のイオンまたは電子と再結合するから，これを抑制することも必要である。
【０００３】
マトリクスに混ぜた生体試料を質量分析のためにイオン化する方法の一つにイオン衝撃法がある。一次イオンとして，Ａｒ+やＸｅ+を使用する二次イオン質量分析法（ＦＡＢまたはＳＩＭＳ）では，マトリクス分子が激しく損傷を受けるので，生体高分子の分析には適せず，またケミカルノイズが現われ，Ｓ／Ｎ比が悪い。
【０００４】
この欠点を取り除く新しいイオン化方法として，マッシブクラスタ衝撃法（Massive Cluster Impact法）（以下，ＭＣＩ法という）が開発された。
【非特許文献１】J.F.Mahoney, D.S.Cornett and T.D.Lee“Formation of Multiply Charged Ions from Large Molecules Using Massive-cluster Impact”RAPID COMMUNICATIONS IN MASS SPECTROMETRY, VOL.8, 403-406（1994）。
【０００５】
この方法は，グリセリンの静電場噴霧を利用するものであり，＋100 価から＋1000価に帯電した106から107ｕの質量をもつイオンクラスタにより基板に塗布した試料を衝撃するものである。この方法によると，生体高分子が分解されることなく，しかもケミカルノイズの少ないマススペクトルが得られる。
【０００６】
しかしながら，上記の方法は，グリセリンを静電場噴霧して帯電液滴を形成するので，イオン源がグリセリンで汚染されて帯電し，イオンクラスタビーム強度が不安定になるという問題があり，実用化に到らなかった。
【０００７】
他方，生体試料を液体に混合しておき，この液体を真空中でエレクトロスプレーして生成された帯電液滴をターゲット（基板）に衝突させる方法がある。
【非特許文献２】Sergei A.Aksyonov and Peter Williams“Impact desolvation of electrosprayed microdroplets - a new ionization method for mass spectrometry of large biomolecules”Rapid Commun.Mass Spectrom. 2001;15:2001-2006
【０００８】
しかしながらこの方法（ＩＤＥＭ法）は，真空下でのエレクトロスプレーであるから，実用上はさまざまな問題点を含んでいる。すなわち，真空中では液体が急速気化し，凝結するので，キャピラリーがすぐ詰まる，また不揮発性化合物の析出によりキャピラリー先端がすぐ詰まる，スプレーが安定しない，などの本質的欠陥がある。
【発明の開示】
【０００９】
この発明は，上記のＭＣＩ法およびＩＤＥＭ法の欠点を解消し，しかも数万を超えるタンパク質分子の脱離も可能であるとともに，正，負イオン分子同士の再結合を抑制し，高感度の質量分析が可能となるイオン化方法および装置を提供することを目的とする。
【００１０】
この発明によるイオン化方法は，揮発性の液体（溶媒）に試料を混合しておき，エレクトロスプレーにより，大気中で（大気圧下で），試料が混合した帯電液滴を生成し，生成した帯電液滴を真空室内に導き，真空室内に電場を形成し，電場によって帯電液滴を加速して，ターゲット（基板）に衝突させ，これによって試料を脱離，イオン化するものである。イオン化された分子は質量分析装置に導かれる。
【００１１】
この発明によるイオン化装置は，質量分析装置のイオン導入口の外側に設けられ，上記イオン導入口を通して質量分析装置の内部と連通し，内部に加速電極とターゲット（基板）が配置された真空加速室を有する加速装置，および上記真空加速室の液滴導入口を通して上記真空加速室と連通する帯電液滴生成室を備え，この液滴生成室内において，試料が混合された揮発性の液体（溶媒）の帯電液滴を，エレクトロスプレー（ナノエレクトロスプレーを含む）により大気中で（大気圧下で）生成する帯電液滴生成装置を備え，上記帯電液滴生成装置によって生成された試料が混合された帯電液滴が上記帯電液滴生成室から上記液滴導入口を通して上記真空加速室に導かれ，高電圧が印加された上記加速電極によって加速されて上記ターゲットに衝突し，これによって脱離，イオン化された試料のイオンが上記イオン導入口を通して質量分析装置に導入されるようになされているものである。
【００１２】
このイオン化装置を用いて，この発明によるイオン化方法を実現することができる。
【００１３】
揮発性の液体（溶媒）としては，水／メタノール混合液（酢酸またはアンモニアなどを添加），水，酢酸，アセトン，アセトニトリルなど，あらゆる揮発性の溶媒を用いることができる。
【００１４】
この発明によると（特に上記エレクトロスプレー法によると），試料が混合されたミクロンオーダないしはサブミクロンオーダの帯電液滴を生成することが可能である。帯電液滴は帯電液滴生成室から真空室（真空加速室）に導かれる。このような試料を含むイオンが真空室（真空加速室）内で電場により加速され，これによって運動エネルギーが付与され，ターゲットに衝突する。衝突界面において衝撃波が発生し，試料がピコ秒オーダーで気化，イオン化される。
【００１５】
試料を含むクラスタイオンをターゲット（基板）に衝突させているので，衝突時に試料中の分子の運動エネルギーのみが選択的に励起される。このようにして，試料はソフトに衝撃を受けるので，数万を超える分子量の分子であっても損傷を受けずにイオン化される。
【００１６】
また，正，負イオン同士の再結合寿命よりも短いピコ秒という短時間内に試料が気化され，イオン化されるので，再結合が抑制され，発生したイオンを効率よく質量分析装置に導くことができる。
【００１７】
この発明によると，上記のＭＣＩ法のように難揮発性のグリセリンを用いず，揮発性液体を用いているので，イオン源が汚染されるという問題が生じない。また，ＩＤＥＭ法のように真空中ではなく，大気中（減圧された状態を含む）で帯電液滴を生成しているので，キャピラリーが詰まるという問題が殆どなく，安定なスプレーが得られる。
【００１８】
大気中におけるエレクトロスプレーによる帯電液滴の生成において，温度制御された冷たい窒素（Ｎ2 ）ガス（アシストガス），または逆に加熱された窒素（Ｎ2 ）ガスを併用すると，冷却または加熱（温調），帯電液滴の生成（噴霧），乾燥，真空室（真空加速室）への移送等を効率的に行うことができる。
【実施例】
【００１９】
図１において，質量分析装置10のイオン導入口を含む部分にイオン化装置20が装備されている。
【００２０】
質量分析装置（たとえば飛行時間型質量分析装置）10のイオン導入口の部分には，孔11ａがあけられたスキマー11が取付けられている。孔11ａ（イオン導入口）により方向の揃ったイオンを質量分析装置へと導く。質量分析装置10の内部は，排気装置（図示略）により高真空に保たれている。
【００２１】
イオン化装置20は，帯電液滴生成室（イオン源室。好ましくは温調（冷却または加熱）されたエレクトロスプレーチャンバー）31を備えた帯電液滴生成装置30と，帯電液滴生成室31と一直線状に連なる真空加速室41を備えた加速装置40とから構成されている。
【００２２】
帯電液滴生成装置30はエレクトロスプレー装置32を備え，このエレクトロスプレー装置32は，高電圧が印加される金属（導電性）細管（キャピラリー）33と，この周囲を間隔をあけて覆う囲繞管34とを備えている。これらの金属細管33と囲繞管34の先端部は帯電液滴生成室31内に突出している。金属細管33には帯電液滴となる揮発性の液体（溶媒）が供給される。この液体には試料（生体試料）が混合されている。金属細管33と囲繞管34との間の空間には冷却媒体，たとえば冷い窒素（Ｎ2 ）ガスまたは加熱された窒素（Ｎ2 ）ガスがネブライザーガス（アシストガス）として供給される。窒素ガスは液体窒素から生成され，温度制御（加熱を含む）されて囲繞管34に導入される。
【００２３】
高電圧が印加された金属細管33の先端からは，試料を含み高度に帯電した微細な液滴（直径数ミクロンないしはサブミクロン，またはそれ以下）Ｄが帯電液滴生成室31内に噴霧される。また，窒素ガスが金属細管33の先端の周囲において囲繞管34の先端から帯電液滴生成室31内に噴射される。窒素ガスは帯電液滴の噴霧を助けるとともに帯電液滴を冷却または加熱（温度調節）し，さらに，帯電液滴Ｄを真空加速室41の方向に移送する。窒素ガスは排気口を通して帯電液滴生成室31から外部に排出される。
【００２４】
揮発性の帯電液滴が気化（乾燥）すると液滴サイズが小さくなる。帯電液滴の気化を促進または抑制するために，帯電液滴の生成において，そして帯電液滴が真空加速室41に到達するまで，帯電液滴を加熱または冷却するのが窒素ガスである。
【００２５】
帯電液滴となる揮発性の液体としては，たとえば，水／メタノール混合液（酢酸またはアンモニアなどを添加），水（酢酸またはアンモニアなどを添加してもよい），酢酸，エタノール，アセトン，アセトニトリル等を挙げることができる。帯電液滴の気化を防ぐために冷却する温度は，上記水／エタノール混合液（酢酸またはアンモニアなどを添加）の場合にはドライアイス−アセトン温度付近である。気化を促進するために加熱する場合には，試料液体の沸点以下である。
【００２６】
この実施例では温度制御された窒素ガスにより帯電液滴を加熱または冷却しているが，帯電液滴生成装置30の全体，または帯電液滴生成室31を所定の温度に温度制御（温度調節）するようにしてもよい。帯電液滴生成装置の他の例としては，超音波振動装置がある。帯電液滴生成室31内は大気圧程度であるが，減圧状態に保ってもよい。
【００２７】
帯電液滴生成室31と真空加速室41との境界にはオリフィス34が設けられ，このオリフィス34に微細な孔34ａが形成されている。この微細な孔34ａが帯電液滴導入口である。帯電液滴導入口34ａを通して帯電液滴生成室31と真空加速室41とが連通している。
【００２８】
金属細管33の先端から噴霧された試料を含む帯電液滴Ｄは，加熱または冷却された窒素ガスとともに帯電液滴生成室31内を真空加速室41の方向に移動し，オリフィス34の微細な孔34ａを通って真空加速室41内に導入される。
【００２９】
真空加速室41内には，加速電極42とターゲット43とが設けられている。加速電極42には正または負の（帯電液滴の極性とは反対の）高電圧（たとえば10KV）が印加される。ターゲットは硬質の物質，たとえばステンレス・スチール等の各種金属，シリコン等により実現される。真空加速室41内に導入された帯電液滴Ｄは加速電極42によって加速かつ収束（フォーカス）され，ターゲット43に斜めに衝突し，液滴試料からイオン化された分子が脱離する。スキマー11にあけられたイオン導入口11ａを通して質量分析装置10の内部と真空加速室41とは連通しており，試料を含む帯電液滴のターゲット43への衝突により発生し，ターゲット43の面から垂直に飛び出たイオン分子（または原子）はこのイオン導入口11ａを通して質量分析装置10内に導入される。
【００３０】
上述のように帯電液滴生成装置30によって生成される試料を含む帯電液滴はミクロンないしはサブミクロンオーダのものである。これを（巨大）クラスタ−イオンという。この（巨大）クラスタ−イオンがミクロンないしはサブミクロンオーダの液滴サイズを保ったまま帯電液滴生成室31から真空加速室41に導入され，加速電極42の電場によって加速される。たとえば（巨大）クラスタ−イオンには10KeV 程度の運動エネルギーが付与される。
【００３１】
加速された試料を含む（巨大）クラスタ−イオンがターゲット43に衝突する。これによってピコ秒という短時間内に（巨大）クラスタ−イオン中に溶け込んでいる試料が気化される。過剰電荷で帯電しているが，帯電液滴中には多くの正イオンと負イオンが混在する。しかし，正負イオンの再結合寿命よりも短い時間帯でイオンが発生するので，発生したイオンの再結合（中性化反応）が抑制（防止）され，多くのイオンが真空加速室41からイオン導入口11ａを通って質量分析装置10内に供給される。これによって高感度の質量分析が可能となる。
【００３２】
また，巨大サイズのクラスタイオンに含まれた状態で試料がターゲットに衝突しているので，運動エネルギーのみが選択的に励起される。これによってタンパク質のような数万を超える分子量の分子であっても損傷を受けることなくイオン化される。すなわち，タンパク質を含む生体分子の質量分析（たとえば，オーソゴナル飛行時間型質量分析）が可能となる。
【００３３】
一例を挙げると，酢酸１Ｍ水溶液中に10-5ＭのクラミシジンＳを混ぜてエレクトロスプレーし，ステンレス基板（ターゲット）に衝突させたところ，図２に示すように，溶液中に混合したクラミシジンＳがきわめて高いＳ／Ｎ比で観測された。
【００３４】
上記実施例ではＮ2ガスによりネブライズしている。ネブライザガスにより帯電液滴を加熱または冷却することができる。しかしながら，ネブライザガス（アシストガス）も必ずしも用いる必要はない。ターゲット43表面に試料を保持しておき，これを試料を含まない揮発性の帯電液滴（クラスタイオン）により衝撃してもよい。
【００３５】
なるべく小さなサイズの帯電液滴を形成するのが好ましく，そのためにはナノエレクトロスプレー装置の使用が望ましい。ナノエレクトロスプレー装置は二重円筒形状のキャピラリーを用い，内側の円筒内に試料を混合した溶媒（液体）を入れ，外側の円筒からネブライザガスを噴霧して，帯電液滴を強制噴霧する。内側の円筒を金属製（ステンレス製）としてこれに高電圧を印加するか，または内側の円筒内に細い導電線（白金線）を円筒の後端から円筒の途中まで挿入し，導電線に高電圧を印加し，導電線と試料液体との接触により高電圧を円筒の先端部内試料液体まで印加する。これにより，小さく，また高度に帯電した微細な液滴が形成される。他のナノエレクトロスプレー装置では，シリコン基板にシリコン・プロセスにより形成された一または複数のキャピラリーを含む。このキャピラリーはシリコン基板と一体的に形成された極細の筒状体であり，基板にあけられた孔と連通し，基板の裏側から上記孔を通して試料液体がキャピラリーに導入される。シリコン基板に高電圧が印加される。シリコン基板はペルチェ素子等により温度調節が可能である。
【図面の簡単な説明】
【００３６】
【図１】イオン化装置の構成図である。
【図２】質量スペクトルの一例を示す。
【符号の説明】
【００３７】
10  質量分析装置
11ａ  イオン導入口
20  イオン化室
30  帯電液滴生成装置
31  帯電液滴生成室
32  エレクトロスプレー装置
33  金属細管
40  加速装置
41  真空加速室
43  ターゲット（基板）
【図１】
2006329710.tif 000003
【図２】
2006329710.tif 000004